(57)【特許請求の範囲】
【請求項１】
系統電源と自然エネルギー発電システムとに接続された分電盤から供給される交流電力を電気自動車の蓄電池や家電負荷へ供給したり、この蓄電池から出力される直流電力を交流電力に変換して前記分電盤へ供給したりする充放電用パワーコンディショナを備え、前記自然エネルギー発電システムは前記系統電源の交流電圧に同期して交流電力を前記分電盤へ出力し、前記充放電用パワーコンディショナは、停電時に放電用ＤＣ/ＡＣコンバータから擬似交流電圧を前記分電盤へ出力し、前記自然エネルギー発電システムは前記擬似交流電圧に連係して交流電力を出力する充放電システムであって、
前記充放電用パワーコンディショナから出力される交流電圧のゼロクロス点を検出する第１ゼロクロス検出回路と、
この第１ゼロクロス検出回路が検出したゼロクロス点近傍の交流電圧の変動幅を検出する電圧変動幅検出回路と、
この変動幅検出回路が検出した変動幅が予め設定されている設定値を越えたか否かに基づいて、前記充放電用パワーコンディショナの動作を制御する制御手段とを備えたことを特徴とする充放電システム。
【請求項２】
前記設定値は設定変更が可能であることを特徴とする請求項１に記載の充放電システム。
【請求項３】
前記充放電用パワーコンディショナは、前記分電盤から供給される交流電圧を直流電圧に変換して前記電気自動車の蓄電池を充電する充電用ＡＣ/ＤＣコンバータと、前記分電盤から供給される交流電圧のゼロクロス点を検出する第２ゼロクロス検出回路と、この第２ゼロクロス検出回路がゼロクロス点を検出する毎に隣接するゼロクロス点間における前記電気自動車の蓄電池の充電電流または充電電圧の実効値または平均値を算出する出力計算部と、この出力計算部が算出する実効値または平均値が予め設定されている基準設定値との差である誤差を求め、この誤差に応じた誤差信号を出力する誤差演算部と、この誤差演算部が出力する誤差信号の前の誤差信号に対する誤差信号の変動量を検出する変動検出部とを有し、
前記制御手段は、前記誤差演算部から出力される誤差信号に基づいて、その誤差がゼロとなるように前記充電用ＡＣ/ＤＣコンバータのスイッチング信号の信号幅を制御する補正部と、前記変動検出部が検出した変動量が予め設定した変動設定値を越えたとき前記充電用ＡＣ/ＤＣコンバータによる充電動作を停止させる充電停止部とを備えていることを特徴とする請求項１または請求項２に記載の充放電システム。
【請求項４】
前記充電用ＡＣ/ＤＣコンバータは、前記分電盤から供給される交流電圧を全波整流して平滑する全波整流回路と、この全波整流回路によって全波整流されて平滑された整流平滑電圧を所定の直流電圧に変換するＤＣ/ＤＣコンバータとを有し、
前記第２ゼロクロス検出回路がゼロクロス点を検出するごとに、前記全波整流回路から出力される整流平滑電圧をサンプリングするサンプリング部と、
このサンプリング部がサンプリングしたサンプリング電圧と予め設定した設定電圧とを比較する比較部とを有し、
前記制御手段の充電停止部は、前記サンプリング電圧が設定電圧以下であると比較部が判断したとき、前記ＤＣ/ＤＣコンバータによる充電動作を停止させることを特徴とする請求項３に記載の充放電システム。
【請求項５】
前記放電用ＤＣ/ＡＣコンバータから出力される交流電圧に含まれる高周波成分を除去するローパスフィルタを設けたことを特徴とする請求項１ないし請求項４のいずれか１項に記載の充放電システム。
【発明の詳細な説明】
【技術分野】
【０００１】
この発明は、家庭用の商用電源や自然エネルギー発電システムによって電気自動車の蓄電池に充電を行ったり、この電気自動車の蓄電池から家電負荷へ電力を供給したりする充放電システムに関する。
【背景技術】
【０００２】
従来から、電気自動車の蓄電池から家電負荷に電力を供給したり、家庭用の商用電源から電気自動車の蓄電池を充電したりする充放電システムが知られている（特許文献１参照）。
【０００３】
係る充放電システムは、商用電源から電気自動車の蓄電池を充電する場合、住宅用設備として設けた電気自動車用パワーコンディショナによって交流電力を直流電力に変換して充電を行う。逆に、電気自動車の蓄電池から家電負荷に電力を供給する場合、上記電気自動車用パワーコンディショナによって電気自動車の蓄電池から出力される直流電力を交流電力に変換して家電負荷に供給する。
【０００４】
一方、特許文献２ないし特許文献４に記載の太陽光発電システムを特許文献１に適用して、太陽光発電システムで発電した電力で電気自動車の蓄電池を充電することが考えられている。
【０００５】
しかし、太陽光発電システムは、系統電源と連係して発電するため、停電時には連係することができないことにより動作が停止してしまうという問題がある。
【０００６】
この問題を解消したものとして、特許文献５,６に記載されている電力供給システムがある。
【先行技術文献】
【特許文献】
【０００７】
【特許文献１】特開２０１３−１０２６０８号公報
【特許文献２】特開２０１３−１３１７４号公報
【特許文献３】ＷＯ２０１３/１１８３７６号公報
【特許文献４】特開２００６-３１１７０７号公報
【特許文献５】特開２０１１−１８８６０７号公報
【特許文献６】特開２０１３−１６５５７７号公報
【発明の概要】
【発明が解決しようとする課題】
【０００８】
ところで、特許文献１に示す充放電システムにあっては、電気自動車用パワーコンディショナの出力によって家電負荷に電力を供給する場合、この供給開始直後に自動車用パワーコンディショナの交流電圧の電圧波形がゼロクロス付近で急激に変化する。この急激な変化により瞬間的にピーク電流が流れ、このピーク電流により過負荷と判断されてしまい、電気自動車用パワーコンディショナである充放電用パワーコンディショナの動作が停止してしまうという問題があった。この特許文献１の充放電システムに特許文献５,６の電力供給システムを適用しても同様な問題が生じる。
【０００９】
この発明の目的は、充放電用パワーコンディショナの動作が瞬間的なピーク電流によって停止してしまうことのない充放電システムを提供することにある。
【課題を解決するための手段】
【００１０】
請求項１の発明は、系統電源と自然エネルギー発電システムとに接続された分電盤から供給される交流電力を電気自動車の蓄電池や家電負荷へ供給したり、この蓄電池から出力される直流電圧を交流電力に変換して前記分電盤へ供給したりする充放電用パワーコンディショナを備え、前記自然エネルギー発電システムは前記系統電源の交流電圧に同期して交流電力を前記分電盤へ出力し、前記充放電用パワーコンディショナは、停電時に放電用ＤＣ/ＡＣコンバータから擬似交流電圧を前記分電盤へ出力し、前記自然エネルギー発電システムは前記擬似交流電圧に連係して交流電力を出力する充放電システムであって、
前記充放電用パワーコンディショナから出力される交流電圧のゼロクロス点を検出する第１ゼロクロス検出回路と、
この第１ゼロクロス検出回路が検出したゼロクロス点近傍の交流電圧の変動幅を検出する電圧変動幅検出回路と、
この変動幅検出回路が検出した変動幅が予め設定されている設定値を越えたか否かに基づいて、前記充放電用パワーコンディショナの動作を制御する制御手段とを備えたことを特徴とする。
【発明の効果】
【００１１】
この発明によれば、交流電圧のゼロクロス付近で瞬間的なピーク電流が発生しても、充放電用パワーコンディショナの動作が停止してしまうことがない。
【図面の簡単な説明】
【００１２】
【図１】この発明に係る充放電システムの構成を概略的に示した説明図である。
【図２】図１に示す充放電システムの電気自動車用パワーコンディショナ装置の構成を示したブロック図である。
【図２Ａ】図２に示すＥＶパワーコンディショナの構成を示すブロック図である。
【図３】交流電圧波形を示したグラフである。
【図４】図１に示す防水接地コンセントから電気自動車を充電する場合の例を示した説明図である。
【図５】二台の電気自動車を同時に充電する場合の例を示した説明図である。
【図６】第２実施例の電気自動車用パワーコンディショナ装置の構成を示したブロック図である。
【図７】第３実施例の電気自動車用パワーコンディショナ装置の構成を示したブロック図である。
【図８】第４実施例の電気自動車用パワーコンディショナ装置の構成を示したブロック図である。
【発明を実施するための形態】
【００１３】
以下、この発明に係る充放電システムの実施の形態である実施例を図面に基づいて説明する。
【実施例】
【００１４】
［第１実施例］
図１に示す充放電システムＳ１は、太陽光発電システム（自然エネルギー発電システム）１０と、第１,第２分電盤（屋内分電盤）２０,３０と、電力測定装置（測定装置）６０と、情報収集装置１００と、屋外に設けられた定置型の電気自動車用パワーコンディショナ装置１２０等とを備えている。
【００１５】
太陽光発電システム１０は、戸建て住宅などの建物Ｈに配置されて、発電した電力を負荷（家電負荷）に供給したりするシステムである。
【００１６】
まず、この建物Ｈについて説明する。この建物Ｈは、系統電力から電力の供給を受けるための電力網としての系統電力網（系統電源）Ｅに接続されている。
【００１７】
この系統電源Ｅと建物Ｈに配線された電線２０ａとが第１,第２電力量メータＭ１,Ｍ２を介して繋がっており、電線２０ａは第１分電盤２０の主幹(図示せず)に繋がっており、第１分電盤２０の主幹は第２分電盤３０の主幹(図示せず)に繋がっている。
【００１８】
第１電力量メータＭ１は、系統電源Ｅから建物Ｈへ流れる電力量を計測し、第２電力量メータＭ２は、建物Ｈから系統電源Ｅへ流れる電力量を計測する。すなわち、第１電力量メータＭ１は買電した電力量を積算し、第２電力量メータＭ２は売電した電力量を積算していく。
【００１９】
第２分電盤３０内には、主幹に流れる電流を検出する電流センサ(図示せず)が設けられている。この第２分電盤３０の近傍には電力測定装置６０が設置されている。
【００２０】
また、第２分電盤３０の主幹には、複数の分岐幹３１が繋がっており、この複数の各分岐幹３１には建物Ｈの部屋に設けたコンセント(図示せず)に給電線(図示せず)を介して繋がっている。
【００２１】
太陽光発電システム１０は、分散型の発電装置としての太陽光発電装置（発電手段）１１と、ＰＶパワーコンディショナ（発電用パワーコンディショナ）１２とを備えており、太陽光発電装置１１及びＰＶパワーコンディショナ１２は屋外に設けられている。
【００２２】
この太陽光発電装置１１は、自然エネルギーである太陽光エネルギーを直接電力に変換して発電を行う装置である。
【００２３】
ＰＶパワーコンディショナ１２は、太陽光発電装置１１が発電した直流電力を交流電力に変換して出力するものであり、系統電源Ｅの交流電圧に同期するとともにこの交流電圧に対して位相ズレが生じないように交流電圧を出力するようになっている。すなわち、ＰＶパワーコンディショナ１２は系統電源Ｅの交流電圧に連係して交流電圧を出力していく。なお、系統電源Ｅの交流電圧は第２分電盤３０の主幹に設けた図示しない電圧検出センサによって検知する。
【００２４】
停電時には、系統電源Ｅからの交流電圧を得ることができないので、電気自動車用パワーコンディショナ装置１２０から擬似交流電圧を発生させ、この擬似交流電圧に基づいてＰＶパワーコンディショナ１２から交流電圧を出力させるようになっている。すなわち、ＰＶパワーコンディショナ１２は、擬似交流電圧に連係して交流電圧を出力していく。
【００２５】
ＰＶパワーコンディショナ１２は、自身が出力する交流電圧の歪が大きい場合、すなわち、その歪が所定値以上になると、異常であると判断して交流電力の出力動作を停止する。すなわち、ＰＶパワーコンディショナ１２は、自身が出力する交流電圧の歪を検出する機能と、その歪が所定値を越えたか否かを判断する機能と、歪が所定値を越えたと判断したとき動作を停止するセフティ機能とを有している。
【００２６】
また、ＰＶパワーコンディショナ１２は、給電線１８によって第２分電盤３０の主幹線(図示せず)に繋がっており、ＰＶパワーコンディショナ１２の交流電力をその主幹線から分岐幹３１及び給電線(図示せず)を介して上記コンセントに接続された家電負荷に供給する。１３は非常用コンセントであり、通常のときには、非常用コンセント１３には交流電力は出力されないようになっている。
【００２７】
ＰＶパワーコンディショナ１２は、停電時に電気自動車用パワーコンディショナ装置１２０から擬似交流電圧が出力されない場合、すなわち電気自動車Ｃが電気自動車用パワーコンディショナ装置１２０に接続されていないとき、非常用コンセント１３のみに交流電力を出力し、第２分電盤３０へ交流電力を供給しないようになっている。
【００２８】
電気自動車用パワーコンディショナ装置１２０の近傍の建物Ｈの外壁面Ｈａには、防水接地コンセント（充電専用コンセント）１２１が設けられており、この防水接地コンセント１２１は給電線３２により第２分電盤３０に繋がっている。この給電線３２によりＰＶパワーコンディショナ１２から出力される交流電力や系統電源Ｅの交流電力が防水接地コンセント１２１へ供給される。
【００２９】
電気自動車用パワーコンディショナ装置１２０と第１分電盤２０とは給電線１２５,１２６で繋がっており、系統電源Ｅの交流電力が給電線１２５を介して電気自動車用パワーコンディショナ装置１２０へ供給されるようになっている。また、電気自動車用パワーコンディショナ装置１２０と第２分電盤３０とが給電線１２７で繋がっており、ＰＶパワーコンディショナ１２から出力される交流電力が電気自動車用パワーコンディショナ装置１２０へ供給される。
【００３０】
電気自動車用パワーコンディショナ装置１２０及び防水接地コンセント１２１は駐車スペースＵを臨むように配置されている。
【００３１】
電気自動車用パワーコンディショナ装置１２０は、通常時、系統電源Ｅの交流電力を第１分電盤２０を介して入力し、そのまま給電線１２６を介して第２分電盤３０へ出力するようになっている。停電時には、電気自動車用パワーコンディショナ装置１２０に電気自動車Ｃが接続されているとき、電気自動車用パワーコンディショナ装置１２０は電気自動車Ｃの蓄電池(図示せず)の直流電力を交流電力に変換して給電線１２６を介して第１分電盤２０へ供給する。
【００３２】
また、電気自動車用パワーコンディショナ装置１２０は、充電モードのとき系統電源ＥまたはＰＶパワーコンディショナ１２からの交流電力を所定の直流電力に変換して電気自動車Ｃへ供給するものであり、放電モードのとき電気自動車Ｃの蓄電池(図示せず)の直流電力を交流電力に変換して給電線１２６を介して第１分電盤２０へ供給する。
【００３３】
リモートコントロール１０２は、電気自動車用パワーコンディショナ装置１２０の充電モードや放電モードや他のモードなどを設定したりするものである。
【００３４】
電気自動車用パワーコンディショナ装置１２０は、図２に示すように、ＥＶパワーコンディショナ（充放電用パワーコンディショナ）１２２と、ＥＶパワーコンディショナ１２２から出力される交流電圧のゼロクロス点を検出するゼロクロス検出回路（第１ゼロクロス検出回路）３０１と、ゼロクロス検出回路３０１が検出したゼロクロス点近傍の電圧変動幅を検出する電圧変動幅検出回路３０２と、ＥＶパワーコンディショナ１２２を制御する制御装置（制御手段）３１０とを有している。
【００３５】
ＥＶパワーコンディショナ１２２は、図２Ａに示すように、切換スイッチＳＷ１,ＳＷ２と、交流電力を直流電力に変換して電気自動車Ｃの蓄電池を充電していく充電用ＡＣ/ＤＣコンバータ１２３と、電気自動車Ｃの蓄電池の直流電力を交流電力に変換して出力する放電用ＤＣ/ＡＣコンバータ１２４とを有している。
【００３６】
切換スイッチＳＷ１は、系統電源モードのとき端子Ｓ１ａに切り換わり、太陽光発電モードのとき端子Ｓ１ｂに切り換わるようになっている。
【００３７】
切換スイッチＳＷ２は平常時にはオンしており、系統電源Ｅの交流電力が第１分電盤２０,給電線１２５,切換スイッチＳＷ２及び給電線１２６を介して第１分電盤２０へ供給され、さらに第１分電盤２０から第２分電盤３０へ供給されることになる。停電時には、切換スイッチＳＷ２はオフされる。
【００３８】
制御装置３１０は、電圧変動幅検出回路３０２が検出した変動幅が予め設定した設定値（設定電圧）Ｖｋを越えた否かに基づいてＥＶパワーコンディショナ１２２を制御する。設定電圧Ｖｋは設定変更可能となっている。
【００３９】
また、制御装置３１０は、電圧変動幅Ｖｗが設定電圧（第１設定電圧）Ｖｋより大きい設定電圧（第２設定電圧）Ｖｍ以上になったとき、ＥＶパワーコンディショナ１２２の動作を停止させる。また、ゼロクロス点近傍以外で、図示しない電流センサが給電線１２６の過電流を検出したとき、ＥＶパワーコンディショナ１２２の動作を停止させるようになっている。
【００４０】
制御装置３１０は、停電時にＰＶパワーコンディショナ１２を動作させるために、放電用ＤＣ/ＡＣコンバータ１２４を制御して擬似交流電圧を第１分電盤２０へ出力させる。また、制御装置３１０は切換スイッチＳＷ１の切り換えや切換スイッチＳＷ２のオン・オフを制御する。
【００４１】
電気自動車用パワーコンディショナ装置１２０は、図示しない電源回路を備えており、この電源回路は、系統電源Ｅの交流電圧から直流の電源電圧を得て制御装置３１０などを動作させるようになっているが、停電時には、電気自動車Ｃの蓄電池の直流電圧から電源電圧を得るようになっている。
【００４２】
情報収集装置１００は、送信されてきた測定データに基づいて太陽光発電システム１０が発電している現時点の電力や積算した電力量などを図示しない表示装置に表示したりする。
【００４３】
また、情報収集装置１００は、ルータ１０１を介してインターネットなどの外部の通信網に繋がっており、外部のサーバ(図示せず)との間で、計測値などのデータの送受信などを行うことができるようになっている。
［動  作］
次に、上記のように構成される充放電システムＳ１の動作について簡単に説明する。
【００４４】
電気自動車Ｃの蓄電池(図示せず)を充電する場合、先ず、電気自動車用パワーコンディショナ装置１２０と電気自動車Ｃとを図１に示すように給電コード１３０で接続する。次に、電気自動車用パワーコンディショナ装置１２０を充電モードに設定する。この充電モードの設定は、リモートコントロール１０２の操作または電気自動車用パワーコンディショナ装置１２０に設けられている図示しないモードスイッチの操作によって行う。
［充電モード及び系統電源モード］
電気自動車用パワーコンディショナ装置１２０は、充電モードが設定されるとともに系統電源モードが設定されると、切換スイッチＳＷ１が端子Ｓ１ａに切り換わり、第１分電盤２０から給電線１２５を介して系統電源Ｅの交流電力がＥＶパワーコンディショナ１２２に入力される。ＥＶパワーコンディショナ１２２の充電用ＡＣ/ＤＣコンバータ１２３は、系統電源Ｅの交流電力を直流電力に変換して電気自動車Ｃの蓄電池(図示せず)を充電していく。
［太陽光発電モード］
ＰＶパワーコンディショナ１２から出力される交流電力で電気自動車Ｃの蓄電池を充電する場合には、リモートコントロール１０２または電気自動車用パワーコンディショナ装置１２０のモードスイッチの操作によって太陽光発電モード及び充電モードに設定する。このモードの設定により、切換スイッチＳＷ１が端子Ｓ１ｂに切り換わり、ＰＶパワーコンディショナ１２から出力される交流電力が第２分電盤３０及び給電線１２７を介して電気自動車用パワーコンディショナ装置１２０へ供給され、上記と同様にして電気自動車Ｃの蓄電池が充電されていく。
【００４５】
また、この場合、ＰＶパワーコンディショナ１２から出力される交流電力は家電負荷へ供給可能となっている。
［停  電］
停電時には、交流電圧が電気自動車用パワーコンディショナ装置１２０に入力されないので、制御装置３１０は停電であることを判断し、切換スイッチＳＷ２をオフにするとともに、放電用ＤＣ／ＡＣコンバータ１２４を動作させて擬似交流電圧を発生させる。この擬似交流電圧は給電線１２６及び第１分電盤２０を介して第２分電盤３０へ供給される。また、図示しない開閉器により系統電源Ｅから第２分電盤２０が解列される。
【００４６】
ＰＶパワーコンディショナ１２は、停電により系統電源Ｅから交流電圧が第２分電盤３０に入力されないが、擬似交流電圧が第２分電盤３０に入力されるので、この擬似交流電圧に基づいて太陽光発電装置１１が発電した直流電力を交流電力に変換して出力する。すなわち、ＰＶパワーコンディショナ１２は、第２分電盤３０に印加する擬似交流電圧に同期し且つ擬似交流電圧に対して位相ズレが生じないように交流電圧を出力していく。
【００４７】
つまり、ＰＶパワーコンディショナ１２は、擬似交流電圧が第１分電盤２０を介して第２分電盤３０に入力されつづけている間、動作し続けて太陽光発電装置１１が発電した直流電力を交流電力に変換して家電負荷に供給し続けることになる。
［停電時の充電モード］
停電時に充電モードが設定されている場合、ＰＶパワーコンディショナ１２から出力された交流電力は、第２分電盤３０から給電線１２７及び切換スイッチＳＷ１（端子Ｓ１ｂに切り換わっている）を介して充電用ＡＣ/ＤＣコンバータ１２３に入力する。また、制御装置３１０は充電用ＡＣ/ＤＣコンバータ１２３を動作させて、その交流電力を直流電力に変換して電気自動車Ｃの蓄電池を充電させていく。すなわち、太陽光発電装置１１が発電した電力で電気自動車Ｃの蓄電池が充電されていくことになる。
【００４８】
停電時には、上述のように放電用ＤＣ／ＡＣコンバータ１２４が擬似交流電圧を出力していき、図２に示すゼロクロス検出回路３０１は、電気自動車用パワーコンディショナ装置１２０から出力される交流電圧のゼロクロス点を検出していく。
【００４９】
いま、例えば、図３に示すように、電気自動車用パワーコンディショナ装置１２０の放電用ＤＣ／ＡＣコンバータ１２４（図２Ａ参照）から出力される交流電圧Ｖｅのゼロクロス点の近傍で電圧が急激に変化する場合があり、ゼロクロス検出回路３０１がゼロクロス点を時点ｔ１で検出すると、電圧変動幅検出回路３０２は、時点ｔ１から所定時間内における急激な電圧変化のマイナス側のピーク電圧Ｐ１と、プラス側のピーク電圧Ｐ２との電圧差、すなわち電圧変動幅Ｖｗを求める。
【００５０】
制御装置３１０は、電圧変動幅検出回路３０２が求めた電圧変動幅Ｖｗが設定値Ｖｋ以上か否かを判断し、電圧変動幅Ｖｗが設定値Ｖｋ以上のとき、ＥＶパワーコンディショナ１２２の放電用ＤＣ／ＡＣコンバータ１２４の動作を停止させる。
【００５１】
このように、マイナス側のピーク電圧Ｐ１とプラス側のピーク電圧Ｐ２との電圧差である電圧変動幅Ｖｗが設定値Ｖｋ以上のとき、放電用ＤＣ／ＡＣコンバータ１２４の動作を停止させるようにしたものであるから、電圧変動幅Ｖｗが設定値Ｖｋより小さければ、ピーク電圧Ｐ１やピーク電圧Ｐ２の時点に過電流が流れても放電用ＤＣ／ＡＣコンバータ１２４の動作が停止されない。このため、停電時にＥＶパワーコンディショナ１２２の動作が不安定になってしまうことが防止される。
【００５２】
また、ゼロクロス点の近傍以外においては、図示しない電流センサが給電線１２６の過電流を検出したとき、制御装置３１０は放電用ＤＣ／ＡＣコンバータ１２４の動作を停止させるものであるから、家電負荷に定格以上の電流が流れてしまうことを防止することができ、充放電システムＳ１の安全性を保つことができる。
［停電時の放電モード］
停電時に放電モードが設定された場合、制御装置３１０は放電用ＤＣ／ＡＣコンバータ１２４を動作させて電気自動車Ｃの蓄電池の直流電力を交流電力に変換させ、この交流電力を給電線１２６及び第１分電盤２０を介して第２分電盤３０へ供給し、家電負荷に供給する。すなわち、ＥＶパワーコンディショナ１２２を自立運転させる。
【００５３】
この自立運転のときも、上記と同様にして、ＥＶパワーコンディショナ１２２から出力される交流電圧のゼロクロス点近傍のピーク電圧Ｐ１とプラス側のピーク電圧Ｐ２との電圧差である電圧変動幅Ｖｗが検出され、電圧変動幅Ｖｗが設定値Ｖｋより小さければ、ピーク電圧Ｐ１やピーク電圧Ｐ２のきに過電流が流れても放電用ＤＣ／ＡＣコンバータ１２４の動作が停止されない。このため、停電時にＥＶパワーコンディショナ１２２の動作が不安定になってしまうことが防止される。
［通常時の放電モード］
通常時に放電モードが設定された場合、制御装置３１０は、系統電源Ｅの交流電圧に同期すなわち連係させてＥＶパワーコンディショナ１２２の放電用ＤＣ/ＡＣコンバータ１２４を制御して、電気自動車Ｃの蓄電池の直流電圧を交流電圧に変換する。すなわち蓄電池から出力される直流電力を交流電力に変換して給電線１２６を介して第１分電盤２０へ供給する。
【００５４】
第１分電盤２０に供給された交流電力は第２分電盤３０及び複数の分岐幹３１を介して家電負荷に供給されていく。
【００５５】
この場合も、上記と同様にして、電圧変動幅Ｖｗが検出され、電圧変動幅Ｖｗが設定値Ｖｋより小さければ、ピーク電圧Ｐ１やピーク電圧Ｐ２のきに過電流が流れても放電用ＤＣ／ＡＣコンバータ１２４の動作が停止されない。
［電気自動車の充電］
電気自動車用パワーコンディショナ装置１２０がメンテナンスなどにより使用できない場合、図４に示すように、防水接地コンセント１２１と電気自動車Ｃとを給電コード１３０で接続すれば、電気自動車Ｃの蓄電池を充電することができる。
【００５６】
また、図５に示すように、電気自動車用パワーコンディショナ装置１２０と電気自動車Ｃ１とを給電コード１３０で接続し、防水接地コンセント１２１と電気自動車Ｃ２とを給電コード１３０で接続すれば、系統電源Ｅの交流電力やＰＶパワーコンディショナ１２から出力される交流電力によって、二台の電気自動車Ｃ１,Ｃ２を同時に充電することができる。
【００５７】
この図５に示すように電気自動車Ｃ１,Ｃ２を接続した状態で、電気自動車用パワーコンディショナ装置１２０によって、電気自動車Ｃ１の蓄電池から出力される直流電圧を所定の交流電圧に変換してその交流電力を第１分電盤２０に供給し、さらにこの交流電力を第２分電盤３０、給電線３２、防水接地コンセント１２１及び給電コード１３０を介して電気自動車Ｃ２へ供給することにより、電気自動車Ｃ２を充電することができる。
【００５８】
このように、電気自動車Ｃ１の蓄電池から電気自動車Ｃ２の蓄電池を充電することができ、例えば夜間の停電時、系統電源Ｅの交流電力やＰＶパワーコンディショナ１２の交流電力によって電気自動車Ｃ２を充電することができない場合であっても、電気自動車Ｃ１から電気自動車Ｃ２へ充電することができる。
【００５９】
例えば、電気自動車Ｃ１,Ｃ２の両方とも走行距離が十分でない場合、電気自動車Ｃ１の蓄電池から電気自動車Ｃ２の蓄電池へ充電することにより、電気自動車Ｃ２の走行距離を十分なものにすることができる。すなわち、複数の電気自動車の走行距離が十分でない場合、例えば電費のよい１台の電気自動車に他の複数の電気自動車の蓄電池から充電させて走行距離を十分なものにすることができる。
【００６０】
また、電費の悪い例えば電気自動車Ｃ１の蓄電池から電費の良い電気自動車Ｃ２の蓄電池へ蓄えられた電気量を入れ替えることもできる。
【００６１】
また、多人数が乗れるが電費の悪い電気自動車と、少人数しか乗れないが電費の良い電気自動車とから、そのときの必要に応じた電気自動車を選択し、その電気自動車に電力を集中させて使用することができる。
【００６２】
さらに、必要に応じて例えば走行距離１０ｋｍ分だけの電気量を電気自動車Ｃ２に充電させることもできる。
［第２実施例］
図６は第２実施例の電気自動車用パワーコンディショナ装置２２０の構成を示す。
【００６３】
電気自動車用パワーコンディショナ装置２２０は、図６に示すように、ローパスフィルタＦ１を設けて、ＥＶパワーコンディショナ１２２から出力される交流電圧に含まれる高周波成分を除去するものである。これにより、その交流電圧のゼロクロス付近のピーク電流を抑制するようにしたものである。
［第３実施例］
図７は第３実施例の電気自動車用パワーコンディショナ装置４２０の構成を示す。
【００６４】
電気自動車用パワーコンディショナ装置４２０は、ＥＶパワーコンディショナ１２２に入力する交流電圧のゼロクロス点を検出するゼロクロス検出回路（第２ゼロクロス検出回路）４２１と、このゼロクロス検出回路４２１がゼロクロス点を検出する毎に隣接するゼロクロス点間（交流電圧の半波毎）における電気自動車の蓄電池の充電電流または充電電圧の実効値または平均値を算出する出力計算部４２２と、この出力計算部４２２が算出する実効値または平均値が予め設定されている基準設定値との差である誤差を求める誤差演算部４２３と、この誤差演算部４２３が出力する誤差信号の変動量を検出する変動検出部４２４とを備えている。
【００６５】
制御装置４１０は、誤差演算部４２３から出力される誤差信号に基づいて誤差がゼロとなるように充電用ＡＣ/ＤＣコンバータ１２３のスイッチング信号の信号幅を制御する補正部４１１と、変動検出部４２４が検出した変動量が予め設定した変動設定値を越えたとき充電用ＡＣ/ＤＣコンバータ１２３による充電動作を停止させる充電停止部４１２とを備えている。
【００６６】
ゼロクロス検出回路３０１及び電圧変動幅検出回路３０２は第１実施例と同様なのでその説明は省略する。また、制御装置４１０も電圧変動幅検出回路３０２の検出に基づいて、第１実施例と同様にＤＣ／ＡＣコンバータ１２４を制御する。
［動  作］
次に、第３実施例の電気自動車用パワーコンディショナ装置４２０の動作について説明する。
［充電モード及び系統電源モード］
充電モードが設定されるとともに系統電源モードが設定されると、切換スイッチＳＷ１が端子Ｓ１ａに切り換わり、第１分電盤２０から給電線１２５を介して系統電源Ｅの交流電力がＥＶパワーコンディショナ１２２に入力される。ＥＶパワーコンディショナ１２２の充電用ＡＣ/ＤＣコンバータ１２３は、系統電源Ｅの交流電力を直流電力に変換して電気自動車Ｃの蓄電池(図示せず)を充電していく。
【００６７】
一方、ゼロクロス検出回路４２１は、充電用ＡＣ/ＤＣコンバータ１２３に入力される交流電圧のゼロクロス点を検出していく。
【００６８】
出力計算部４２２は、ゼロクロス検出回路４２１がゼロクロス点を検出するごとに、隣接するゼロクロス点間（半波毎）における電気自動車Ｃの蓄電池の充電電流または充電電圧の実効値または平均値を算出していく。誤差演算部４２３は、出力計算部４２２が算出した実効値または平均値が予め設定されている基準設定値との差である誤差を求めていき、この誤差に応じた誤差信号を出力していく。
【００６９】
制御装置４１０の補正部４１１は、誤差演算部４２３から出力される誤差信号に応じて充電用ＡＣ/ＤＣコンバータ１２３を構成するスイッチング素子(図示せず)の信号幅を制御していく。すなわち、補正部４１１は、誤差演算部４２３が算出した誤差がゼロとなるように充電用ＡＣ/ＤＣコンバータ１２４のスイッチング素子(図示せず)の信号幅を制御していき、一定の充電量で電気自動車Ｃの蓄電池を充電していく。これにより、定格値以上の電流や電圧で蓄電池が充電されるのを防止するものである。
【００７０】
変動検出部４２４は、誤差演算部４２３から出力される誤差信号とこの誤差信号が出力される１つ前の誤差信号との差である変動量を求めていく。制御装置４１０の充電停止部４１２は、変動検出部４２４が検出した変動量が予め設定した変動設定値を越えたとき充電用ＡＣ/ＤＣコンバータ１２３による電気自動車Ｃの蓄電池の充電を停止させる。
【００７１】
このように、交流の半波毎の変動量が予め設定した変動設定値を越えたとき、充電用ＡＣ/ＤＣコンバータ１２３の動作を停止させるものであるから、定格値以上の電流や電圧で電気自動車Ｃの蓄電池が充電されるのを確実に防止することができる。
［太陽光発電モード］
太陽光発電モード及び充電モードに設定すると、切換スイッチＳＷ１が端子Ｓ１ｂに切り換わり、ＰＶパワーコンディショナ１２から出力される交流電力が第２分電盤３０及び給電線１２７を介して電気自動車用パワーコンディショナ装置１２０へ供給され、第１実施例と同様にして電気自動車Ｃの蓄電池が充電されていく。
【００７２】
そして、上記と同様にして、制御装置４１０の補正部４１１は、誤差演算部４２３が算出した誤差がゼロとなるようにＡＣ/ＤＣコンバータ１２４のスイッチング素子(図示せず)の信号幅を制御していき、一定の充電量で電気自動車Ｃの蓄電池を充電していく。これにより、定格値以上の電流や電圧で蓄電池が充電されるのを防止する。他の動作は第１実施例と同様なのでその説明は省略する。
【００７３】
第３実施例の電気自動車用パワーコンディショナ装置４２０にも第２実施例と同様にローパスフィルタＦ１を設けてもよい。
［第４実施例］
図８は第４実施例の電気自動車用パワーコンディショナ装置５２０の構成を示す。
【００７４】
図８に示す充電用ＡＣ/ＤＣコンバータ１２３は、入力する交流電圧を全波整流して平滑する全波整流回路５０１と、この全波整流回路５０１により全波整流されて平滑された整流平滑電圧を所定の直流電圧に変換するＤＣ/ＤＣコンバータ５０２とを有している。
【００７５】
電気自動車用パワーコンディショナ装置５２０は、第３実施例の電気自動車用パワーコンディショナ装置４２０に、全波整流回路５０１から出力される整流平滑電圧をサンプリングするサンプリング部５２１と、サンプリング部５２１がサンプリングしたサンプリング電圧と予め設定した設定電圧（閾値）とを比較する比較部５２２とを設けたものである。
【００７６】
制御装置５１０の充電停止部４１２は、サンプリング電圧が設定電圧以下であると比較部５２２が判断すると、ＤＣ/ＤＣコンバータ５０２の充電動作を停止させるものである。他の動作は第３実施例と同様なのでその説明は省略する。
【００７７】
この第４実施例は、ＰＶパワーコンディショナ１２から出力される交流電圧が低くて充電できるような状態でない場合、ＤＣ/ＤＣコンバータ５０２の充電動作を停止させるようにしたものであり、ＤＣ/ＤＣコンバータ５０２による無駄な充電動作を防止するものである。
【００７８】
第４実施例の電気自動車用パワーコンディショナ装置５２０にも第２実施例と同様にローパスフィルタＦ１を設けてもよい。
【００７９】
上記実施例はいずれも太陽光発電システム１０を使用しているが、これに限らず、例えば風力発電システムであってもよい。
この発明は、上記実施例に限られるものではなく、特許請求の範囲の発明の要旨を逸脱しない限り、設計の変更や追加等は許容される。
【符号の説明】
【００８０】
１０        太陽光発電システム
１１        太陽光発電装置（発電手段）
１２        ＰＶパワーコンディショナ（発電用パワーコンディショナ）
２０        第１分電盤（分電盤）
３０        第２分電盤（分電盤）
１２０        電気自動車用パワーコンディショナ装置
１２２        ＥＶパワーコンディショナ（充放電用パワーコンディショナ）
３０１        ゼロクロス検出回路（第１ゼロクロス検出回路）
３０２        電圧変動幅検出回路
３１０        制御装置（制御手段）
Ｓ１        充放電システム
Ｅ        系統電力網（系統電源）
Ｃ        電気自動車
【図１】
0006397244.tif 000002
【図２】
0006397244.tif 000003
【図２Ａ】
0006397244.tif 000004
【図３】
0006397244.tif 000005
【図４】
0006397244.tif 000006
【図５】
0006397244.tif 000007
【図６】
0006397244.tif 000008
【図７】
0006397244.tif 000009
【図８】
0006397244.tif 000010